(57)【要約】【課題】容器の外とフィルムにより完全に遮断でき、且つ異物が入ることなく，衛生的になるとともに、保管の際に容器を積み重ねることができる膨化穀物用容器を提供する。【解決手段】上部開口部が底部より大きい面積を有する容器と、該容器に収納された加熱調理される調理品の材料と、前記容器の開口部縁の全周囲に亘り溶着し、該容器の内側側面に沿って押し込み形成し該容器の外部と内部を隔てるフィルムとを備えた膨化穀物用容器。【選択図】  図２
2004248656.tif 000002
【特許請求の範囲】
【請求項１】
上部開口部が底部より大きい面積を有する容器と、該容器に収納された加熱調理される調理品の材料と、前記容器の開口部縁の全周囲に亘り溶着し、該容器の内側側面に沿って押し込み形成し該容器の外部と内部を隔てるフィルムとを備えた膨化穀物用容器。
【請求項２】
上部開口部が底部より大きい面積を有する容器と、該容器に収納された加熱調理される調理品の材料と、前記容器の開口部縁の全周囲に亘り溶着し、該容器の内側側面に沿って押し込み形成し該容器の外部と内部を隔てるフィルムと、該容器の外側の一部に調味料を収納した調味袋と、
を備えた膨化穀物用容器。
【請求項３】
請求請１乃至２におけるフィルムは、容器の開口部の外側の一部に突出部分を有することを特徴とする膨化穀物用容器。
【請求項４】
請求項３において、フィルムの突出部は手で持った際に滑り止めとなる部分を有することを特徴とする膨化穀物用容器。
【請求項５】
請求請１乃至４のいずれか１つにおいて、フィルムは容器外側に面する第１層と、容器内側に面する第２層から構成され、第１層は第２層に比して強度が強い材質であり、第２層は第１層に比して熱に溶け易い材質であることを特徴とする膨化穀物用容器。
【請求項６】
請求項５におけるフィルムの第２層は溶ける温度がポップコーンの生成時の温度よりも高いことを特徴とする膨化穀物用容器。
【請求項７】
請求請１乃至６のいずれか１つにおいて、フィルムは前記容器の開口部縁の全周囲に亘り溶着されているものの、開口縁の一部に溶着部が全周囲の溶着面積に対し少ない部分を有することを特徴とする膨化穀物用容器。
【請求項８】
請求請７において、容器の開口部縁のフィルムの溶着面が他の全周囲の溶着面積に対し少ない部分は、該容器の内部から略くさび状に溶着していない部分であることを特徴とする膨化穀物用容器。
【請求項９】
請求請１乃至８のいずれか１つにおいて、フィルムは極微小の穴が無数に有することを特徴とする膨化穀物容器。
【請求項１０】
請求項９の極微小の穴は穴の系がミクロン単位であることを特徴とする膨化穀物容器。
【請求項１１】
請求項２における調味料袋は該容器の外周面に設けたことを特徴とする膨化穀物用容器。
【請求項１２】
請求項２における調味料袋は該容器のフィルム部に設けたことを特徴とする膨化穀物用容器。
【請求項１３】
請求項２における調味料袋は該容器の底面に設けたことを特徴とする膨化穀物用容器。
【請求項１４】
請求項２、１０乃至１３のいずれか１つにおいて、調味料袋は乾燥した調味料が真空密閉されたことを特徴とする穀化穀物用容器。
【発明の詳細な説明】
【０００１】
【産業上の利用分野】
本発明は、ポップコーン等の加熱調理される膨化穀類を収納した調理品容器に関し、容器の包装体中で料理するようにした食品の材料を包装するためのものである。
【０００２】
【従来の技術】
従来、加熱調理される調理品の材料を収納した調理品容器である調理品容器が知られている。
その一例として、トウモロコシを容器に適当量封入して、蓋を取りつけた容器入りポップコーンがある。さらにトウモロコシに食用油脂を混合して作成したポップコーン原料の適当量を、容器に封入して、蓋を取りつけたことをものがある（例えば、特許文献１参照。）。
【０００３】
また、耐油紙または耐熱性合成樹脂材で開口部周縁に鍔部を有する深皿状に形成された容器本体を設け、この容器本体の底部上に一定量のポップコーンの原料豆および調味材料を敷きつめ、前記容器本体の上面開口部を周縁が前記鍔部上面にそわせておかれこの鍔部により接着固定された透視可能なパルプ製のフィルムにより被覆してなる電子レンジ用ポップコーン焼成器がある（例えば、特許文献２参照。）。
【０００４】
さらに電子レンジ用のポップコーンの原材料の封入体に関しては、耐熱性の透明プラスチックフイルムで形成されたスタンドバック内に、発熱フィルムを底板面に内添した耐熱カップを納入するとともに、この耐熱カップの底板面と、スタンドバックの底部面との間に空間部を設け、この耐熱カップ内にとうもろこし、油、塩等の原材料を入れスタンドバックを密閉したものがある（例えば、特許文献３参照。）。
【０００５】
尚さらに、電子レンジ内でコーンをはじかせるポップコーンバックに関するものとして、平坦な折りたたみ外形、及び折りたたみ部分が伸びた膨張外形の少なくとも２種類の外形を呈することができ、前記平坦な折りたたみ外形を呈した状態において、相互に連通する連通部を有して相並ぶ第１及び第２のチューブを形成されるパネル構造のバックと、前記第１のチューブに配置されるマイクロウエーブエネルギーを吸収して発熱するシートとを備え、前記シーとは、使用時において前記第１チューブ内に存在するポップコーンと熱伝達関数を有する位置に配置されているポップコーンバッグがある（例えば特許文献４参照）。
【０００６】
【特許文献１】
実開昭６０−１７９６６８号公報（第１−２頁、第１−３図参照）
【特許文献２】
実開昭６１−２２７７３号公報（第１頁、第２図参照）
【特許文献３】
特開平５−１５３９２６号公報（第２−３頁、第５図参照）
【特許文献４】
特開平６−２４４７３号公報（第３−４頁、第１−９図参照）
【０００７】
【発明が解決しようとする課題】
本願出願人が実験してみると特許文献１の第１実施例に示す如く容器をカップ状に形成し、内部にポップコーン原料を封入し、幅の広いフィルムの中央部分を容器の内部に押し込んだ状態で、フィルムの縁を容器の口に取りつけたのでは、電子レンジでの加熱の際のポップコーンの膨張時にポップコーンの食用油がフィルムに付着してしまったり、熱で溶けてしまったりする不都合があるのである。この構造の容器では、加熱直後に完成した容器を取出してフィルムを外すには容器が熱くなっており、焼けどする恐れがあるばかりでなく、フィルムの取り外しテープ等の取り外すきっかけとなる部分がないので、取り外しが難しいのである。
【０００８】
また特許文献２では、容器本体の鍔部により接着固定された透視可能なパルプ製のフィルムにより被覆する構成であり、その構造は容器本体の上面を覆うフィルムは純粋セロファンが用いられ、その周縁は前記容器本体の鍔部の上上面に沿てかれ、鍔部により接着固定される、この固定はフイルムの周縁の上下面に接着剤が塗着され、鍔部上面に接着したのち鍔部を内方へ折り返して重ねることによりフィルムの他面の接着剤同士が接着され、重なり合うすべての面が接着剤により強固に固着され、または場合によってはフィルムの周縁を鍔部の外周から下面にかけて接着するようになっているので、フィルムを容器に取り付ける構造が多少複雑であり、コスト上昇になってしまうのである。
【０００９】
また特許文献３では、耐熱性の透明プラスチックフィルムのスタンドバックと、耐熱性の透明プラスチックフィルムのスタンドバックとにより、カップ全体を透明プラスチックフィルムで覆っている構成のため、カップを積み重ねるという観点からは積み重ねに不適当であり、収納する際に難点があると言わざるを得ない。
【００１０】
さらに特許文献４でのチューブ型のバックでは、マイクロウエーブエネルギーを吸収して膨らんだ膨張外形は、紙製では紙を破って食べる際に破りずらく、破け過ぎたり、持ちづらいという欠点があるのである。
さらに上記して来た各種の特許文献では、何れも味が予め決まっており、消費者は予め決まった味の商品を購入するのであり、販売者にとっては、違う味を揃えるには、新たにその味の商品を仕入れる必要がある。これでは売れない味の商品は在庫となってしまい、保管場所が必要になってしまうのであった。
本願発明は、上記した諸課題を解決した膨化穀物用容器を得ることを目的として成されたものである。
【００１１】
【課題を解決するための手段】
本願は上記課題を解決するために、上部開口部が底部より大きい面積を有する容器と、該容器に収納された加熱調理される調理品の材料と、前記容器の開口部縁の全周囲に亘り溶着し、該容器の内側側面に沿って押し込み形成し該容器の外部と内部を隔てるフィルムとを備えた膨化穀物用容器としてある。
これにより、容器の外とフイルムにより完全に遮断できるので、異物が入ることがなく、衛生的になるとともに、保管に当り、容器を積み重ねることが出来るのである。
【００１２】
さらに本願では上記課題を解決するために、上部開口部が底部より大きい面積を有する容器と、該容器に収納された加熱調理される調理品の材料と、前記容器の開口部縁の全周囲に亘り溶着し、該容器の内側側面に沿って押し込み形成し該容器の外部と内部を隔てるフィルムと、該容器の外側の一部に調味料を収納した調味袋と、を備えた膨化穀物用容器としてある。
これにより、調味袋が容器の外側の一部に設ける構成としてあるので、調味袋を差し替えることにより、別の味の商品とすることができるのである。
【００１３】
さらに本願発明では上記課題を解決するために上述したフィルムは、容器の開口部の外側の一部に突出部分を有する膨化穀物用容器としてある。
これにより、容器からフィルムを取り外す際に突出部を摘んで外すことにより容易にフィルムを取り外すことができるのである。
【００１４】
さらに本願発明では上記課題を解決するために上述したフィルムの突出部は手で持った際に滑り止めとなる部分を有する膨化穀物用容器としてある。
これにより、ポップコーンが出来たて直後に容器を取り外す場合でも、手で突出部を摘んで滑るとなく、容器からフィルムを取り外すことができるのである。さらに本願発明では上記課題を解決するために、上述したフィルムは容器外側に面する第１層と、容器内側に面する第２層から構成され、第１層は第２層に比して強度が強い材質であり、第２層は第１層に比して熱に溶け易い材質であることを特徴とする膨化穀物用容器としてある。
【００１５】
これにより、ポップコーンカップの製造時にフィルムをカップの開口部に熱溶着する際に、熱を加えることで、第２層が確実にカップの開口部に溶着でき、さらにその後に成形型をカップの上側からフィルムに当ててカップの内側に挿入しても第１層の強度があるのでフィルムが破けることなくカップの内側に成形できるのである。
【００１６】
さらに本願発明では上記課題を解決するために、上述したフィルムの第２層は溶ける温度がポップコーンの生成時の温度よりも高いことを特徴とする膨化穀物用容器としてある。
これにより、電子レンジでコーンを加熱する際にフィルムが開口部から溶けて剥がれることがなく、さらにはポップコーンに第２層が溶けて付着することが防止できるのである。
【００１７】
さらに本願発明では上記課題を解決するために、上述したフィルムは前記容器の開口部縁の全周囲に亘り溶着されているものの、開口縁の一部に溶着部が全周囲の溶着面積に対し少ない部分を有することを特徴とする膨化穀物用容器としてある。
これによりポップコーンカップを電子レンジで加熱時にコーンに内包された水分が水蒸気となってフィルムを膨らませる際に、フィルムを破裂させるほどの力が加わった際に溶着面の少ない部分を剥がして水蒸気がカップの外部に逃げることができるので、ポップコーンカップからフィルムが完全にはがれて、ポップコーンがカップの外側に飛び散ることが防げるのである。
【００１８】
さらにまた本願発明は上記課題を解決するために、上記において容器の開口部縁のフィルムの溶着面が他の全周囲の溶着面積に対し少ない部分は、該容器の内部から略くさび状に溶着していない部分である膨化穀物用容器としてある。
これにより、コーンに内在された水分や油分が蒸発してフイルムを押し上げる際に、略くさび部分にその膨張力が加わり、くさび部分を突き破って外部に出てくる。
【００１９】
さらにまた本願発明では上記課題を解決するために、上述したフィルムは極微小の穴が無数に有することを特徴としている。
これによりコーン加熱時に油分や水分が蒸発してフィルムを膨張させる際にこの極微小の穴から外部に逃げることができるのである。
【００２０】
さらにまた本願発明では上記課題を解決するために、上記した極微小の穴は穴の系がミクロン単位であることを特徴とする。
これにより製品の保管時にはこのコーン自体が呼吸することが出来ると共に、外部からの異物を防ぐことができるのである。
【００２１】
さらに本願発明では上記課題を解決するために、上記した調味料袋は該容器のフイルム面や容器自体の外周面や容器底部に設けたことを特徴とする。
これにより、調味料袋を取り外して別の味の調味料袋と差し替えることにより、別の味の調味料付き調理品を提供することができ、在庫の低減につながる。
【００２２】
さらに本願発明では上記課題を解決するために、上記した調味料袋は乾燥した調味料が真空密閉されたことを特徴とする。
これにより、調理加熱時に調味料袋が内包された水分や空気が熱で膨らむことがないので、調味料袋が破けるということがないのである。
【００２３】
【発明の実施の形態】
以下、本発明に係る膨化穀物容器の実施形態を図面に示した実施例を参照して詳細に説明する。
【００２４】
【実施例】
図１は調理品容器の一部裁断斜視図であり、調味料付き調理品容器１０は、ポップコーンカップ（調理品容器）１１と、仕切りフィルム１２とから構成され、調理品容器の側面には様々な味を付けるための調味料袋１３が取り付けてある。図２は調理品容器の縦断裁断図を示し、図３は調理後の調理品容器の縦断断面図を示す。
【００２５】
調理品容器１１は、縦１４ｃｍで上側外径９ｃｍ、上側内径８．５ｃｍ、下側外径６ｃｍで、上側を底部１１ａより拡径した上部開口１１ｂを有し開口部が底部より大きい容器である円錐台形状の有底筒状体の紙製カップにより形成されており、カップ内底部１１ｃには、膨化穀類の一種であるコーン（材料）１４が、固形化した調理用油１５と共に固着状態に収納されている。このコーン１４は、加熱調理によりその体積が増加してポップコーン（調理品）１６となる。また、コーン１４には、ポップコーン１６の下味として若干の塩味が付けられている。この下味として付けられている。塩味だけでも味はあるが、これ以外にも外付けの調味料袋にある調味料を出来上がったポップコーンに振りかけることで様々な味付けをすることができる。例えば、バター味、のり塩味、カレー味など、様々な味の調味料を用意しておくことで、消費者の好みの味を提供することが可能である。
【００２６】
仕切りフィルム１２は、調味料付き調理品容器の製造時にポップコーンカップにコーンと調理用油をカップ底内部に収納した後に調理品容器の開口部１１ｂの上縁の全周囲に渡り熱により溶着され、その後にカップを積み重ねることができるようにカップ形状に合わせてポップコーンカップの内側に円錐台形状に挿入し密封成形されて、仕切りフィルムの底部は、カップの内底部１１ｃの固形化されたコーン１４の上面より若干上側に位置するようにする。これによりポップコーンカップを幾つも積み重ねて保管することが出来るし、カップの外部から異物が混入することが防げ、衛生的な構造となっている。
【００２７】
図４には仕切りフィルムの断面図を示す。この仕切りフィルム１２は２層になっており、カップ開口部での熱溶着を可能にしつつ、電子レンジでの加熱調理の際の熱に耐えられるようになっている。仕切りフィルムは熱による溶けやすさが異なる２層に形成され、上層１２ａが耐熱性に優れ腰の強い材質となっており、下層１２ｂは調理品容器の開口部に溶着しやすくするために熱に溶け易い材質となっている。
【００２８】
上層１２ａはある程度の強度があるので、フィルム１２をカップの開口部に溶着後にカップの内側に押し込み成形しても破れないようになっており、且つポップコーン製造時に飛び跳ねるポップコーンの力でフィルムが破けない強度がを有している。さらに下層１２ｂの耐熱度は溶着時の温度がポップコーン生成時に加わる温度より高く設定されている。そうでないとポップコーン加熱時にポップコーンに溶けて下層が付着したり、過熱時の温度でカップの開口部から溶けて吐かれてしまうのである。
この仕切りフイルムにはポリエチレン製で全面に亘ってミクロン単位の微小穴が無数設けてあり、加熱時にコーンに内在された水分が加熱され水蒸気となって仕切りフィルムを押し上げ、市きりフィルムを膨張させる際に、一定の圧力を超えた水蒸気が微小穴から外部に逃げるようになっている。
【００２９】
調理品容器の製造は、コーン材料１４と調味用油１５をカップ底内部に収納した後に、仕切りフィルム１２となるフィルムシートを調理品容器の開口１１ｂに合わせて被せ、開口の縁に熱を与え溶着させ、フィルムシートを開口１１ｂの縁から多少はみ出した位置で開口１１ｂに合わせて切り取る。その後にフィルムシートの上側からカップの内部に加熱した成形型をポップコーンカップの内側に円錐台形状に挿入し押し付け、図２に示すごとく仕切りフィルム１２を調理品容器１１の内部に成形する。
【００３０】
すると、成形型は仕切りフィルムの上層１２ａに当接して調理品容器の内面に沿って圧延し、同時に下層１２ｂも剥がれることなく図４に示す状態まで成形される。
このコーンカップの外側側面には調味料袋１３が、例えば粘着テープ１７により貼着されて付設されている。さらに調味料袋は仕切フィルムの表面に取りつけられていてもよく、その場合にはポップコーンカップが膨らんだ際にフィルムの上側に位置することで購入者に見やすい位置になるのである。
勿論、調味料袋はカップの裏底に取りつけてあってよいが、購入者にとって観ず依頼位置なので、その旨はカップ側面等に表示しておくことが好ましい。
このように調味料袋を別体で粘着テープ等で取りつけることで、味の変更が調味料袋を差し替えるだけで用意に変更することができ、在庫場所に困ることはないのである。
【００３１】
調味料袋１３は、薄い樹脂性シートにより形成されており、内部にはポップコーン１６の味付けに使用する、例えばバター味、チリソース味、カレー味、バーベキュー味或は塩味等の調味料１８が一種類収納されている。この調味料１８をポップコーン１６に振り掛けることにより、ポップコーン１６にはそれぞれの風味を持つ味付けがなされる。この調味料は乾燥した調味料を密閉封入してあり、加熱しても膨らみ破裂することが無いようになっている。
【００３２】
従って、調理品容器１１により形成されるポップコーン１６は、調味料袋１３に収納された調味料１８により、バター味、チリソース味、カレー味、バーベキュー味或は塩味等の種々の味に味付けすることができる。この調理品容器１１は、ポップコーン自動販売機（図示せず）に装着される。ポップコーン自動販売機は、内部にカップ収納部と電子レンジ部とを有しており、カップ収納部に複数個積み重ねられて収納された調理品容器１１を、個別に取り出して電子レンジ部に移動し加熱調理することにより、自動的にポップコーン１６が出来上がる。
【００３３】
なお、ポップコーン自動販売機には、自分の好みの調味料１８が添付された調理品容器１１を選択することができるように、調味料１８毎の選択ボタンが設けられている。次に、調味料付き調理品容器のポップコーン自販機への納入方法を説明する。先ず、調味料付き調理品容器１０を図示しないポップコーン自動販売機のカップ収納部に装着する。装着される調理品容器１１は、一方の調理品容器１１の中に他方の調理品容器１１の底部１１ａを入り込ませ、これを繰り返して積み重ねられている。
【００３４】
この際、入り込んだ調理品容器１１の底部１１ａと、入り込ませた調理品容器１１のコーン１４の間には、仕切りフィルム１２が介在することから、コーン１４と底部１１ａとの接触が回避されて、コーン１４に塵等が付着したり底部１１ａに油分が付着するのが防止される。続いて、ポップコーン１６の購入者が、ポップコーン自動販売機に対して購入操作を行う。この際、購入者は、選択ボタンにより自分の好みの調味料１８が付いた調理品容器１１を選択する。
【００３５】
購入操作を行うことにより、ポップコーン自動販売機内で、選択された好みに応じた調味料１８が添付された調理品容器１１が個別に取り出されて電子レンジ部に移動し、電子レンジ部のターンテーブル上に載置されると同時に、加熱調理が始まる。
【００３６】
加熱調理により、調理品容器１１内のコーン１４は、固形化した調理用油１５が溶融すると共に個々に膨張し始め、大きく弾けてカップ内底部１１ｃから上部開口１１ｂに向かって盛り上がり、図３に示すように、調理品容器１１一杯にポップコーン１６が出来上がる。この際、仕切りフィルム１２は、コーン１４が膨化してポップコーン１６となり、盛り上がるのに連れてカップ内部の空気とともに上部開口１１ｂに向かって押し上げられる。そしてコーン１４に内在した水分が水蒸気となり、調理品容器１１一杯のポップコーン１６を越えて水蒸気で膨らむこととなる。この際に水蒸気は仕切りフィルムに設けた無数の極微小の穴から外部に出ることができるととも、仕切りフィルム１２により、膨張するコーン１４がカップから弾き飛ばされるのが防止される。
【００３７】
図５は仕切りフィルムの調理品容器への取り付けを示す第２実施例の平面図である。これはフィルムシートを調理品容器に溶着するにあたり、開口１１ｂの全面に溶着するのではなく、開口の縁の一部に内側からくさび状に溶着しない部分１２ｃを設けておき、その部分の溶着面１２ｄは他の溶着部に比べて薄くする。このようにして仕切りフィルムを開口１１ｂに溶着することで、調理時にコーン材料の水分で調理品容器の内部に水蒸気が発生してフィルムシート１２が予定以上に膨らんでくると、水蒸気の圧力でこのくさび部分の薄い溶着部が破れ、内部で発生した水蒸気を外部に安全に逃すことができ、仕切りフィルム全体の破裂を防止することができ、調理時にポップコーンが調理品容器１１からこぼれ落ちることがない。このくさび部分は薄いが溶着してあるので、調理品容器の外部と内部を遮断することができ、内部のコーンの乾燥を防ぐことができる。
【００３８】
カップの開口部に一様に溶着しているのではなく、過熱時の膨張力を逃がすために一部強度が弱い部分を設けてあるので、その部分を突き破って水蒸気が外部に逃げるようにしているのである。このように弱い部分のみ破れるようしてあるので、ポップコーン自体が膨化時に仕切フィルムを突き破って飛び出すことがないのである。
【００３９】
図６は仕切りフィルムの調理品容器への取り付けを示す第３実施例の平面図である。仕切りフィルムの調理品容器の開口１１ｂへの溶着後に開口に合わせて切り取る際に、仕切りフィルム１２の一部を外方に舌状に伸ばして切り取ることで突出部１２ｃを設け、仕切りフイルムを剥がす際に、万一内部に溜まった熱した水蒸気に手を近づけることなく、安全に仕切りフィルム１２を剥がすことが可能となる。
この場合に仕切りフィルム１２を剥がす目安の部分の開口１１ｂの位置にくさび状１１ｃに溶着しておくことで、その部分まで仕切りフィルムが剥がしやすくなり、女性や子供等でも目標位置１１ｄまで仕切りフィルムを剥がして、調味料を入れて、仕切りフィルムを元に戻して調理品容器を振ることができる。
上述した突出部は長くしなくとも、指先で摘める程度の長さでもよく、この場合には指先で詰まむ際に滑ることが無いように滑り止めとなるように凹凸部１２ｄを形成しておいてもよい。
【００４０】
次に、購入者は、出来上がったポップコーン１６に満たされた調理品容器１１をポップコーン自動販売機から取り出した後、調理品容器の側面に取り付けてある調味料袋１３を外す。そして、調理品容器の開口１１ｂに溶着されている仕切りフィルムの一部を剥がし、調味料袋１３を開封して、調味料を出来あがったポップコーン１６に好みの分量を振りかける。
次に、仕切りフィルム１２を元に戻して開口した部分を手で塞ぎながら、調理品容器１１を良く振って、調味料をまんべんなくポップコーン１６と混ぜ合わせるのである。このようにして自分の好みの分量の調味料を振りかけて、自分でよく振ってポップコーン１６に味付けした後に、仕切りフィルム１２を開口１１ｂから剥がし取る。
【００４１】
このようにして、出来上がったポップコーン１６に、調理品とは別に提供される調味料１８により自分で味付けすることから、食べる人の好みに応じて濃くするとか薄くするとかの味付け具合を調整することができ、ポップコーン１６の味が画一的となってしまうことがない。
【００４２】
別添の調味料１８は、調味料袋１３に密封されて本来の風味が維持されており食べる際に初めて開封することから、風味の新鮮さをそのまま生かしてポップコーン１６に味付けすることができる。同時に、調味料１８の選択により、より強い風味を伴った味付けを行うこともできる。また、加熱調理前のコーン１４に、ポップコーン１６の風味となる味付けを直接行わず、加熱調理中に風味成分が強い臭いを発生させることがないため、加熱調理に際して周囲に迷惑が掛からず、ポップコーン自動販売機の設置場所が限られることがない。
【００４３】
なお、コーン１４には、ポップコーン１６の下味として若干の塩味が付けられているが、この下味が加熱調理中に強い臭いを発生させることはない。ところで、上記実施例では、調味料付き調理品容器１０の調理品を、コーン１４によるポップコーン１６について説明したが、加熱調理によりその体積が増加する膨化穀類の調理であれば膨化米等、ポップコーン１６に限らない。また、ポップコーン１６に使用する調味料１８も、バター味、チリソース味、カレー味、プレーン味、キャラメル味、バーベキュー味或は塩味等に限らず、その他種々のものが可能である。
【００４４】
また、調味料袋１３の付着位置は、調理品容器１１の外側側面に限るものではなく、仕切りフィルム１２の表面１２ｂでもよい。更に、加熱調理の際、場合によっては焦げる可能性もあるが、例えば調味料袋１３に耐熱性を持たせること等により、調理品容器１１の底部１１ａ外表面でも良い。
【００４５】
調味料袋１３の付着位置が、調理品容器１１の底部１１ａ外表面の場合、調味料袋１３が邪魔にならず未調理状態の調理品容器１１同士の重ね合わせ引き離しが円滑であり、調理品容器１１同士を重ね合わせた状態で従来と同様にポップコーン自動販売機に装填することができ、従来と変わらない取り扱いができる。
【００４６】
このように、調味料付き調理品容器１０により、加熱調理により形成されるポップコーン１６の味が、画一的とならずに食べる人の好みに応じて味付け具合を調整することができる。また、加熱調理時に強い臭いを発することがなく、ポップコーン自動販売機の設置場所が限られることもない。
【００４７】
なお、本発明は上記実施例に限らず種々の変形が可能であり、例えば、調理品容器１１は耐熱性或は無臭等の所定条件を満足するものであれば、紙以外の材料により形成してもよく、調味料容器の材料についても同様に、他の材料でもよい。例えば加熱すると膨らむスポンジケーキや、ふがしのような食品にも適用可能である。
【００４８】
以上の通り、本発明によれば、調理品はその材料が加熱調理によりその体積が増加する調理品であり、調理品容器は、開口部が底部より大きい容器であり、調味料容器は、材料を覆って調理品容器内を覆う形になっており、カップ自体が衛生的であり、また調味料が調理品とは別に提供されて、調理品の味を食べる人の好みに応じた味付け具合に調整することができる。
【００４９】
また、加熱調理時に強い臭いを発することがなく、調理品販売機の設置場所が限られない。また、調味料容器が邪魔にならず未調理状態の調理品容器同士の重ね合わせ引き離しが円滑であり、調理品容器同士を重ね合わせた状態で従来と同様に調理品販売機に装填することができ、従来と変わらない取り扱いができる。その上、加熱調理により調理品の体積が増加するため調味料袋を仕切りフィルムの底部に取り付けておくことにより、調味料袋が調理品容器の上部に押し上げられて、調味料袋を容易に取り出し得る。
【００５０】
また、本発明によれば、調味料袋が、仕切りフィルムの表面に付設されていることから、調味料袋が露出し、調味料袋が調理品を食べる人の目につき易い。
【００５１】
また、本発明によれば、仕切りフィルムが完全に材料を覆うことで、加熱調理時に強い臭いを発することがなく、調理品販売機の設置場所が限られない。また、調味料袋が邪魔にならず未調理状態の調理品容器同士の重ね合わせ引き離しが円滑であり、調理品容器同士を重ね合わせた状態で従来と同様に調理品販売機に装填することができ、従来と変わらない取り扱いができる。
【００５２】
さらに本願ではポップコーンカップ自動販売機用カップの開口部を仕切りフィルムで全面的に覆っているので、自動販売機への収納保管作業時などの際に異物の混入が完全に防ぐことができ、衛生的である。
【００５３】
さらに加熱時にポップコーンの膨張時に仕切りフィルムも膨張するものの、コーンに内在された水分等により仕切りフィルムが破裂することはなく、食用油脂がはねて電子レンジ内を汚すということがない。
さらに調理終了により、自動販売機から取出す際にも、仕切りフィルムが蓋としての役割を担っており、例えポップコーンカップが倒れたり、落したりしても、ポップコーンが零れ落ちる等により、床面を汚したりすることは無いのである。
【００５４】
さらに、別途、調味料を振りかける際には、仕切フィルムを調味料を入れる分だけ開口して調味料を入れた後に仕切りフィルムを戻して、手で仕切りフィルムのポップコーンカップの開口の外側にはみ出ている部分を手でポップコーンカップに押さえながら振ることで、調味料をポップコーン全体に行き渡らせることが出来るのである。
【００５５】
【発明の効果】
以下に本願発明の効果を請求項に沿って述べる。
本願発明では、上部開口部が底部より大きい面積を有する容器と、該容器に収納された加熱調理される調理品の材料と、前記容器の開口部縁の全周囲に亘り溶着し、該容器の内側側面に沿って押し込み形成し該容器の外部と内部を隔てるフィルムとを備えた膨化穀物用容器としたことにより、容器の外とフイルムにより完全に遮断でき、異物が入ることがなく、衛生的になるとともに、保管に当り、容器を積み重ねることが出来るのである。
【００５６】
さらに本願では上部開口部が底部より大きい面積を有する容器と、該容器に収納された加熱調理される調理品の材料と、前記容器の開口部縁の全周囲に亘り溶着し、該容器の内側側面に沿って押し込み形成し該容器の外部と内部を隔てるフィルムと、該容器の外側の一部に調味料を収納した調味袋とを備えたことにより、調味袋が容器の外側の一部に設けてあるので、調味袋を差し替えることにより、別の味の商品とすることができるのである。
【００５７】
さらに本願発明では仕切フィルムは、容器の開口部の外側の一部に突出部分を有する膨化穀物用容器としてあるので、容器からフィルムを取り外す際に突出部を摘んで外すことにより容易にフィルムを取り外すことができるのである。
【００５８】
さらに本願発明では仕切りフィルムの突出部は手で持った際に滑り止めとなる部分を有することで、ポップコーンが出来たて直後に容器を取り外す場合でも、手で突出部を摘んで滑るとなく、容器からフィルムを取り外すことができるのである。
さらに本願発明では仕切りフィルムは容器外側に面する第１層と、容器内側に面する第２層から構成され、第１層は第２層に比して強度が強い材質であり、第２層は第１層に比して熱に溶け易い材質であるので、ポップコーンカップの製造時にフィルムをカップの開口部に熱溶着する際に、熱を加えることで、第２層が確実にカップの開口部に溶着でき、さらにその後に成形型をカップの上側からフィルムに当ててカップの内側に挿入しても第１層の強度があるのでフィルムが破けることなくカップの内側に成形できるのである。
【００５９】
さらに本願発明では仕切りフィルムの第２層は溶ける温度がポップコーンの生成時の温度よりも高いことを特徴とする膨化穀物用容器としてあるので、電子レンジでコーンを加熱する際にフィルムが開口部から溶けて剥がれることがなく、さらにはポップコーンに第２層が溶けて付着することが防止できるのである。
【００６０】
さらに本願発明では仕切りフィルムは前記容器の開口部縁の全周囲に亘り溶着されているものの、開口縁の一部に溶着部が全周囲の溶着面積に対し少ない部分を有することでポップコーンカップを電子レンジで加熱時にコーンに内包された水分が水蒸気となってフィルムを膨らませる際に、フィルムを破裂させるほどの力が加わった際に溶着面の少ない部分を剥がして水蒸気がカップの外部に逃げることができるので、ポップコーンカップからフィルムが完全にはがれて、ポップコーンがカップの外側に飛び散ることが防げるのである。
【００６１】
さらにまた本願発明では容器の開口部縁のフィルムの溶着面が他の全周囲の溶着面積に対し少ない部分は、該容器の内部から略くさび状に溶着していない部分である構成としたので、コーンに内在された水分や油分が蒸発してフイルムを押し上げる際に、略くさび部分にその膨張力が加わり、くさび部分を突き破って外部に出てくる。
【００６２】
さらにまた本願発明では仕切りフィルムは極微小の穴が無数に有するので、コーン加熱時に油分や水分が蒸発してフィルムを膨張させる際にこの極微小の穴から外部に逃げることができるのである。
【００６３】
さらにまた本願発明では上記の極微小の穴は穴の系がミクロン単位であるので、製品の保管時にはこのコーン自体が呼吸することが出来ると共に、外部からの異物を防ぐことができるのである。
【００６４】
さらに本願発明では調味料袋は該容器のフイルム面や容器自体の外周面や容器底部に設けるので、調味料袋を取り外して別の味の調味料袋と差し替えることにより、別の味の調味料付き調理品を提供するこができ、在庫の低減につながる。
【００６５】
さらに本願発明では調味料袋は乾燥した調味料が真空密閉されているので、調理加熱時に調味料袋が内包された水分や空気が熱で膨らむことがないので、調味料袋が破けるということがないのである。
【図面の簡単な説明】
【図１】調理品容器の一部裁断斜視図である。
【図２】調理品容器の縦断裁断図である。
【図３】調理後の調理品容器の縦断裁断図である。
【図４】仕切りフィルムの断面図である
【図５】仕切りフィルムの調理品容器への取り付けを示す第２実施例の平面図である。
【図６】仕切りフィルムの調理品容器への取り付けを示す第３実施例の平面図である。
【符号の説明】
１０・・・調味料付き調理品容器
１１・・・ポップコーンカップ
１２・・・仕切りフィルム
１３・・・調味料袋
１４・・・コーン材料
１５・・・食用油脂
１６・・・ポップコーン
１７・・・粘着テープ
【図１】
2004248656.tif 000003
【図２】
2004248656.tif 000004
【図３】
2004248656.tif 000005
【図４】
2004248656.tif 000006
【図５】
2004248656.tif 000007
【図６】
2004248656.tif 000008